(57)【要約】【課題】無線端末を１つのホーム局である交換機と、複数のビジタ局である交換機に跨って利用する際のローミング機能において、無線端末に関するデータ一元管理することにより交換システムのメンテナンス作業の効率化を図る。【解決手段】交換機２１に内線データ格納部２０３と無線端末データ一時格納部２０４を設け、データ通信ネットワーク７０により接続する無線端末管理装置３０に、全ての無線端末のデータを管理・登録する無線端末登録データ格納部３０３と各交換機の番号計画を保存する番号計画データ格納部３０３を設け、無線端末５１が無線エリア１１に移動した際に、無線端末管理装置３０にアクセスし、無線端末５１のデータと、そのホーム局である交換機２０の番号計画を取得する。【選択図】図２
2008061087.tif 000002
【特許請求の範囲】
【請求項１】
複数の無線端末を収容し発着信制御を行う複数の交換機と、
前記複数の交換機とネットワークを介して接続され、前記複数の交換機の番号計画情報と前記無線端末に関する情報を管理する無線端末管理装置とを有する交換システムにおいて、
前記無線端末管理装置は、
前記無線端末が第１の交換機の無線エリアから第２の交換機の無線エリアに移動した場合、前記第２の交換機より当該移動した無線端末の位置情報を受信する位置情報受信手段と、
前記位置情報受信手段が受信した位置情報に基づき、第１の交換機に第２の交換機の番号計画情報を送信する、または、第２の交換機に第１の交換機の番号計画情報を送信する番号計画情報送信手段と、
を備えたことを特徴とする交換システム。
【発明の詳細な説明】
【技術分野】
【０００１】
本発明は、無線端末を１つのホーム局である交換機と複数のビジタ局である交換機に跨って利用する際のローミング機能において、無線端末に関するデータ一元管理する交換システムに関する。
【背景技術】
【０００２】
従来、企業等の多数の拠点を持つ通話システムでは、各支社等の拠点毎に交換機を有し、内線及び外線による通信端末として無線端末を利用し、前記交換機を介して通信・通話を行っている。
【０００３】
無線端末は、小型化による携帯性の向上や、無線端末利用者の拠点間の移動頻度が高まったことによって、無線端末を異なる移動先拠点の使用することが多くなっている。その際、拠点毎に無線端末を用意することの無いよう、無線端末を移動先拠点に設置される交換機に登録し無線端末を利用可能とする、無線端末のローミング機能に関して種々の方法が開示されている。
【０００４】
例えば特許文献１では、無線エリアを展開する複数の交換機の内１つをホーム局とする携帯無線電話機を、該ホーム局交換機以外の他の無線エリアを展開するビジタ局交換機に移動させる際に、ホーム局交換機が備えるホームロケーションレジスタに記憶される携帯無線電話機の認証情報及びサービス情報を、移動先となるビジタ局交換機が備えるビジタロケーションレジスタに一時登録し、その情報に基づき発着信処理を行う方法が開示されている。
【０００５】
また、本文献によれば、ビジタ局交換機が展開する無線エリアから、他のビジタ局交換機が展開する無線エリアに移動する場合や、ホーム局交換機が展開する無線エリアに戻った場合は、移動元のビジタ局交換機のビジタロケーションレジスタに記憶されている移動した携帯無線電話機の認証情報及びサービス情報を抹消するとしている。これにより、携帯無線電話機が異なる無線エリアを往来しても、該当無線エリアを展開する交換機への位置登録動作を自動で行うことができ、ユーザの利便性が向上するとしている。
【０００６】
【特許文献１】特開平８−２３７７２７号公報
【発明の開示】
【発明が解決しようとする課題】
【０００７】
しかしながら、特許文献１の方法では、無線端末の最新となる情報がホーム局交換機のホームロケーションレジスタにしか存在せず、仮に無線端末を他のビジタ局交換機をホーム局とするよう変更する必要がある場合等において、その変更処理が煩雑になるという欠点があった。また、内線や外線をかける際の番号計画を移動先のビジタ局交換機のルールに則る必要があり、移動の都度、ユーザは番号計画を変更して使用しなくてはならず、不便であった。
【０００８】
本発明は上記課題を鑑みてなされたものであり、ホーム局である交換機の番号計画をそのまま利用できるローミング機能を有し、システムで利用する全ての無線端末を一元管理可能な交換システムを提供することを目的とする。
【課題を解決するための手段】
【０００９】
請求項１に係る交換システムは、複数の無線端末を収容し発着信制御を行う複数の交換機と、
前記複数の交換機とネットワークを介して接続され、前記複数の交換機の番号計画情報と前記無線端末に関する情報を管理する無線端末管理装置とを有する交換システムにおいて、
前記無線端末管理装置は、
前記無線端末が第１の交換機の無線エリアから第２の交換機の無線エリアに移動した場合、前記第２の交換機より当該移動した無線端末の位置情報を受信する位置情報受信手段と、
前記位置情報受信手段が受信した位置情報に基づき、第１の交換機に第２の交換機の番号計画情報を送信する、または、第２の交換機に第１の交換機の番号計画情報を送信する番号計画情報送信手段と、
を備えたことを特徴とする。
【００１０】
請求項１の構成によれば、複数の交換機が接続されるネットワークに、全ての無線端末を一元管理するための無線端末管理装置を有し、無線端末がビジタ局である交換機へ移動する際に、該無線端末のデータを、無線端末管理装置から取得することができる。
【発明の効果】
【００１１】
請求項１に係る交換システムは、複数の無線端末を収容し発着信制御を行う複数の交換機と、
前記複数の交換機とネットワークを介して接続され、前記複数の交換機の番号計画情報と前記無線端末に関する情報を管理する無線端末管理装置とを有する交換システムにおいて、
前記無線端末管理装置は、
前記無線端末が第１の交換機の無線エリアから第２の交換機の無線エリアに移動した場合、前記第２の交換機より当該移動した無線端末の位置情報を受信する位置情報受信手段と、
前記位置情報受信手段が受信した位置情報に基づき、第１の交換機に第２の交換機の番号計画情報を送信する、または、第２の交換機に第１の交換機の番号計画情報を送信する番号計画情報送信手段と、
を備えたので、無線端末のホーム局や認証情報等を、無線端末管理装置で一元管理することができ、これにより、例えば新規に交換機を増設することによる、既設交換機の情報の更新等を行う必要がなく、メンテナンスコストの削減を図ることができる。また、移動する無線端末を検出してビジタ局である交換機が該当無線端末の位置登録を行う際のホーム局である交換機の検出を、無線端末管理装置にアクセスするだけで行うことができ、通信パケットの総量の低減及びトラフィックの改善を図ることができる。また、前記無線端末管理装置は、前記位置登録の変更を行う無線端末のデータを前記ビジタ局である交換機に送信する際に、該無線端末がホーム局とする交換機の番号計画も同時に送信するので、通常頻繁に利用するホーム局である交換機に位置登録を行っている場合と同様の操作により発信操作を行っても、移動先のビジタ局である交換機の番号計画に基づいて発信番号の変換を自動的に行うことが可能であり、ユーザの利便性が著しく向上する。
【発明を実施するための最良の形態】
【００１２】
以下、本発明を実施するための最良の形態としての実施例を図１から図１０を参照して説明する。もちろん、本発明は、その発明の趣旨に反さない範囲で、実施例において説明した以外のものに対しても容易に適用可能なことは説明を要するまでもない。
【００１３】
図１〜図１０は、本発明の一つの実施例を示しており、図１は、交換機であるＰＢＸを用いた交換システムの概略を示すブロック図である。図２は、交換機及び無線端末管理装置の詳細を示すブロック図である。図３は、図２とは異なる構成である交換機の詳細を示すブロック図である。図４は、無線端末が無線基地局を介して交換機に対して位置登録を行う際の一連の動作を示すフローチャート図である。図５は、交換機より無線端末のデータを要求された際の、無線端末管理装置の動作を示すフローチャート図である。図６は、交換機より無線端末の位置登録情報を受信した際の無線端末管理装置の動作を示すフローチャート図である。図７は、無線端末からの発信操作を検出した際の、交換機の動作を示すフローチャート図である。図８は、着信している無線端末がホーム局としている交換機の動作を示す説明図である。図９は、ビジタ局である交換機に位置登録をした無線端末への着信処理要求を受信した際の無線端末管理装置の動作を示す説明図である。図１０は、ホーム局における無線端末の番号計画と、ビジタ局における無線端末の番号計画及び自交換機に属する無線端末が他の交換機の無線エリアに移動した場合の着信制御を行う為の番号変換の一例を示す説明図である。
【００１４】
本実施例における交換システムの概要について、図１に基づいて説明する。図１は本発明における交換機による交換システムと無線端末管理装置の一実施例を示すブロック図である。
【００１５】
１０、１１、１２、１３は後述の無線端末、電話端末により通信・通話を行う際の、後述の交換機により展開される無線エリアである。２０、２１、２２、２３は交換機である。３０は後述のデータ通信ネットワークを介して交換機２０〜２３に接続され、無線エリア１０〜１３内で用いられる無線端末に関する情報を管理する無線端末管理装置である。
【００１６】
５０、５１、５２、５３、５４、５５、５６は何れもＰＨＳ及び携帯電話等の音声通話及びデータ通信が可能な無線端末である。４０、４１、４２、４３は、有線で交換機２０〜２３と接続され、無線端末５０〜５６と無線通信を行う位置情報受信手段たる無線基地局である。
【００１７】
６０は、各無線エリア１０〜１３内の無線端末５０〜５６及び電話端末により通話を行うための専用線網である。無線端末５０〜５６は、それぞれが何れかの交換機に属する（内線データ格納部に登録し、当該交換機の内線端末として動作可能。）ものであり、この無線端末５０〜５６のそれぞれが属する交換機をホーム局と呼び、属さない(内線データ格納部に登録されていない)交換機をビジタ局と呼ぶ。７０は各交換機２０〜２３と無線端末管理装置３０とによりデータの送受信を行うためのデータ通信ネットワーク(例えばＬＡＮ等)である。
【００１８】
次に、無線端末管理装置３０と無線エリア１０、１１の詳細な構成に付いて、図２に基づいて説明する。無線端末管理装置３０は、制御装置３０１と、メモリ３０２により構成され、メモリ３０２には、交換機２０〜２３の各々における内線番号や局線番号（専用線特番情報）、外線特番情報等の番号計画情報を記憶する番号計画データ格納部３０３と、無線エリア１０〜１３内で使用される全ての無線端末の内線番号や無線端末識別ＩＤ等の無線端末に関するデータ及び無線端末の位置登録データを記憶する無線端末登録データ格納部３０４を備える。
【００１９】
無線エリア１０及び１１を展開する交換機２０及び２１は、制御装置２０１、２１１を各々有すると共に、自交換機に属する無線端末の無線端末識別ＩＤや内線番号を格納する内線データ格納部２０３、２１３と、前記内線データ格納部に登録されていない無線端末の無線端末識別ＩＤや内線番号などの端末情報を一時的に格納する無線端末データ一時格納部２０４、２１４を有するメモリ２０２、２１２を備える。尚、説明の簡略化のため、無線エリア１０及び１１の構成のみを記載するが、無線エリア１２及び１３も同様に構成されるものである。
【００２０】
続いて、本実施例における交換機２０〜２３の動作について、図４に基づいて説明する。無線端末が無線基地局を検出し交換機に対して位置登録要求を行い、交換機が無線端末管理装置に対して無線端末の照合を要求し、無線端末管理装置から無線端末の内線番号や無線端末識別ＩＤ等のデータを受信し、無線端末の位置登録が完了するまでの過程を示している。
【００２１】
以降の説明を、交換機２０及び２１と、交換機２１をホーム局とする無線端末５１を主として行うが、当然ながら、他の交換機及び無線端末を使用した際においても、下記動作は同様に適用されるものである。
【００２２】
まず、図１及び図２に示すように、交換機２０をホーム局とする無線端末５１が無線エリア１０から無線エリア１１へ移動する。この際、無線端末５１から近隣の交換機即ち交換機２１に対して無線基地局４１を介して位置登録要求が行われる。交換機２１は、この位置登録要求を検出する（Ｓ１００）。位置登録要求が検出された場合、交換機２１は、内線データ格納部２１２に記憶される自交換機の内線端末として登録された無線端末の無線端末識別情報と、位置登録要求をした無線端末５１の無線端末識別情報（内線番号、無線端末識別ＩＤ等）の照合を行う（Ｓ１０１）。
【００２３】
この際、位置登録要求をした無線端末（ここでは無線端末５１）が該当交換機（ここでは交換機２１）をホーム局とするか否かも判別する。続いて、交換機２１の無線端末データ一時格納部２１３に無線端末５１に関する情報を、無線端末管理装置３０より取得する必要があるかどうかを判断するために、無線端末データ一時格納部２１３に無線端末５１に関する情報が既に登録されているかどうかを判別する（Ｓ１０３）。
【００２４】
前述のステップＳ１０１において内線データ格納部２１２に、及びステップＳ１０３において無線端末データ一時格納部２１３に、それぞれ無線端末５１の識別データなどの情報が存在する場合は、内線データ格納部２１２の無線端末５１に関するデータ若しくは無線端末データ一時格納部２１３の無線端末５１に関する情報の更新を行い（Ｓ１０２）、後述のステップＳ１０８へと処理を移行する。
【００２５】
ステップＳ１０３において、無線端末データ一時格納部２１３に、無線端末５１に関するデータが存在しない場合、交換機２１は無線端末管理装置３０へ無線端末５１に関するデータを要求する（Ｓ１０４）。無線端末５１に関するデータを要求された無線端末管理装置３０は、合致するデータの有無の判別結果を示すデータと、該当する無線端末５１に関するデータを送信するが、本動作については後述する。
【００２６】
無線端末管理装置３０からの応答があるまで交換機２１を待機状態とし（Ｓ１０５）、応答があった場合、応答により得られたホーム局における番号計画を含む受信データから無線端末５１に関するデータが無線端末管理装置３０に登録されていたかを判別する（Ｓ１０６）。無線端末管理装置３０に無線端末５１が登録されていない場合は、無線端末５１の位置登録処理を中断する（Ｓ１１０）。無線端末管理装置３０に無線端末５１が登録されている場合、受信した無線端末５１のデータを無線端末データ一時格納部２１３に格納する（Ｓ１０７）。この際、交換機２１が無線端末５１のビジタ局である場合、同様に番号計画を無線端末データ一時格納部２１３に格納する。
【００２７】
続いて、無線端末５１の位置登録処理を行い（Ｓ１０８）、無線端末管理装置３０へ、無線端末５１が交換機２１により使用されることを示す位置登録情報を送信する（Ｓ１０９）。以上の処理により、無線端末５１が無線エリア１０から１１へと移動したとしても、無線エリア１１内で無線端末５１の使用が可能となる。
【００２８】
次に、前述の交換機２１からの無線端末５１に関するデータの要求を受信した際（図４ステップＳ１０４）の、無線端末管理装置３０の動作について、図５のフローチャートに基づいて説明する。
【００２９】
交換機２１より無線端末５１に関するデータの要求の受信を識別し（Ｓ１２０）、要求を受信した場合、無線端末登録データ格納部３０３から無線端末５１に関するデータの抽出を試行する。無線端末５１に関するデータ及び番号計画が存在する場合は、該当データ及び番号計画を交換機２１に対して送信し（Ｓ１２２）、無線端末５１に関するデータが存在しない場合は無線端末５１が登録されていない旨を示す情報を交換機２１に送信する（Ｓ１２３）。
【００３０】
次に、無線端末管理装置３０が交換機２１から無線端末５１の位置登録完了通知を受信した際の、無線端末５１の管理情報を更新する動作について、図６のフローチャートに基づいて説明する。
【００３１】
図４のステップＳ１０９に示す位置登録完了通知及び番号計画の受信を検知した場合（Ｓ１４０）、無線端末管理装置３０が有する制御装置３０１は、同じく無線端末管理装置３０が有するメモリ３０２内に記憶される無線端末登録データ格納部３０３に対して、無線端末５１の位置登録情報を更新し（Ｓ１４１）、それに伴い、更新前後における無線端末５１の位置登録情報を比較し、無線端末５１が位置登録される交換機の変動を検出する（Ｓ１４２）。
【００３２】
位置登録される交換機について、更新前後で変動が無ければ処理を終了し、変動がある場合は、以前に無線端末が位置登録していた交換機に対して無線端末の位置登録された旨を通知し処理を終了する。即ち、無線端末５１が無線エリア１０から無線エリア１１へと移動した場合、無線端末登録データ格納部３０３に記憶される無線端末５１の位置登録情報は交換機２０から交換機２１へと更新される。
【００３３】
その後、交換機２１の無線端末データ一時格納部２１４に対して無線端末５１の位置登録が行われる。その際、交換機２０の無線端末データ一時格納部２０４に対しては、交換機２０が無線端末５１のホーム局であれば、無線端末５１の位置登録情報に現在交換機２１に位置登録されたことを記憶・更新し、ビジタ局であれば無線端末データ一時格納部２０４から無線端末５１の位置登録情報及び番号計画は消去される。
【００３４】
次に、ビジタ局である交換機２１に無線端末５１が位置登録され、ホーム局である交換機２０の番号計画を用いて発着信を行う場合の、ビジタ局である交換機２１の動作について図７に基づいて説明する。
【００３５】
まず、交換機２１は無線端末５１からの発信操作を検出する（Ｓ１６０）。発信操作が為された無線端末５１が内線データ格納部２１に登録されているかを判別し、これにより無線端末５１が交換機２１をホーム局とするか、ビジタ局とするかを判別する（Ｓ１６１）。
【００３６】
ホーム局である場合は、交換機２１が有する番号計画に基づいて発信処理を行う（Ｓ１６２）が、無線端末５１は交換機２０をホーム局とするので、無線端末５１がビジタ局である交換機２１に位置登録されているかを確認するため、交換機２１が有する無線端末データ一時格納部２１４に無線端末５１のデータが登録されているかを判別する（Ｓ１６３）。無線端末５１が交換機２１に位置登録されている場合は、発信してきた無線端末がホーム局とする交換機の番号計画を読み出し、無線端末が発信してきた番号と照合を行い、発信処理を行う。（Ｓ１６４）。
【００３７】
ステップＳ１６３において無線端末５１のデータが登録されていない場合は、発信処理を中断する（Ｓ１６５）。以上のような動作により、無線端末５１がホーム局である交換機２０から、ビジタ局である交換機２１へと位置登録を行ったとしても、双方の交換機の番号計画を比較・変換することにより、各ビジタ局固有の内線番号等に関わらず、ホーム局にいるかの如く無線端末５１を操作することで発信することが可能となる。
【００３８】
次に、交換機が無線端末への着信を受けて行う交換動作を、図８及び図９に基づいて説明する。
【００３９】
本フローチャートも、上記実施例の説明と同様に無線端末５１と交換機２１及びこれらに関連する構成を例に説明する。図８は交換機２１が無線端末５１への着信を受けて交換動作を行う処理過程を示すホーム局の動作フローチャートである。
【００４０】
無線端末５１に対して着信があった場合、ホーム局に位置登録されているかどうかをホーム局である交換機２０にて判別する（Ｓ１８０）。ホーム局である交換機２０に位置登録されている場合は、そのまま無線端末５１へ着信処理を行う（Ｓ１８１）。他のビジタ局、例えば交換機２１に位置登録されている場合は、無線端末管理装置３０に、無線端末５１が位置登録されているビジタ局に対して着信指示を行うよう通知し、処理を終了する（Ｓ１８２）。
【００４１】
図９は、図８のステップＳ１８２において、無線端末管理装置３０がビジタ局である交換機２１に位置登録している無線端末５１への着信制御を行う処理過程を示すフローチャート図である。
【００４２】
ホーム局を交換機２０とする無線端末５０と無線端末５１があり、無線端末５０が無線端末５１に電話をかけた場合であって、無線端末５１が交換機２１の無線エリアに移動していた場合の交換システムの動作を基に説明する。
【００４３】
まず、無線端末５０が無線端末５１に電話をすべく、交換機２０に対して発信する。この際のダイヤル情報は、無線端末５１の内線番号である。
【００４４】
交換機２０は、前記ダイヤル情報を受信すると、無線端末５１が自交換機に対して位置登録されているかを確認する。この場合、無線端末５１は交換機２１の無線エリアに移動している為、位置登録がされていない状態となっている。ここで、交換機２０は、無線端末管理装置３０に無線端末５１への着信があることを通知し、着信制御を委ねる。
【００４５】
無線端末管理装置３０は、ホーム局である交換機２０からの無線端末５１への着信指示を受信したかを判別する（Ｓ２００）。受信した場合、番号計画データ格納部３０３からビジタ局である交換機２１への着信特番（無線端末５１が交換機２０をホーム局としていたことを示す情報「例えば、交換機２０の専用線特番情報」）を検索する（Ｓ２０１）。その後、抽出された着信特番を内線番号に付加して（例えば、着信特番＋内線番号）ビジタ局である交換機２１へ送信し、無線端末５１への着信指示を行う（Ｓ２０２）。
【００４６】
無線端末管理装置３０が、無線端末５１が交換機２１の無線エリアに移動していることの認識は、無線端末５１が交換機２１への位置登録を行った場合に、交換機２１が無線端末管理装置３０へ通知によるものである。ビジタ局である交換機２１は、無線端末５１への着信特番の付加された着信指示を受け、その着信特番から、無線端末５１がビジタ局配下であると認識されるので、着信指示内の「着信特番(交換機２０を指す)」＋「内線番号」から「着信特番」を削除した「内線番号」で無線端末５１を呼び出し、接続制御を行う。
【００４７】
その後、無線端末５１が着信応答した場合には、交換機２０と交換機２１間の通話路が確立し、無線端末５１と無線端末５０が通話を行えるようになる。
【００４８】
このような動作を行うことで、発信側である無線端末５０は、着信側である無線端末５１がどの交換機の無線エリアに位置していようとも、無線端末５１の内線番号のみのダイヤル操作で、通話が可能となるという効果が得られる。
【００４９】
次に、同様の動作環境においての別の動作例を説明する。無線端末５０が無線端末５１に電話をすべく、交換機２０に対して発信する。この際のダイヤル情報は、無線端末５１の内線番号である。
【００５０】
交換機２０は、前記ダイヤル情報を受信すると、無線端末５１が自交換機に対して位置登録されているかを確認する。この場合、無線端末５１は交換機２１の無線エリアに移動している為、位置登録がされていない状態となっている。
【００５１】
ここで、交換機２０は、無線端末５１の位置を無線端末管理装置３０に問い合わせを行う。
【００５２】
問合せを受けた無線端末管理装置３０は、無線端末５１がどの交換機の無線エリアに位置しているかを把握している為、交換機２０に対して、無線端末５１が交換機２１の無線エリアにいることを通知する。
【００５３】
無線端末管理装置３０が、無線端末５１が交換機２１の無線エリアに移動していることの認識は、無線端末５１が交換機２１への位置登録を行った場合に、交換機２１が無線端末管理装置３０へ通知によるものである。
【００５４】
この通知を受けた交換機２０は、無線端末５１が交換機２１の無線エリアにいることを認識し、番号計画データ格納部３０３から、第１の特番情報（無線端末５１が交換機２０をホーム局としていたことを示す情報「例えば、交換機２０の専用線特番情報」）と第２の特番情報（交換機２１へ着信させる為の情報「例えば、交換機２１の専用線特番情報」）を検索し抽出する。
【００５５】
その後、抽出された特番情報を内線番号に付加して（例えば、第１の特番情報＋第２の特番情報＋内線番号）ビジタ局である交換機２１へ送信し、無線端末５１への着信指示を行う。
【００５６】
ビジタ局である交換機２１は、無線端末５１への着信情報の付加された着信指示を受けると、第１の特番情報から、無線端末５１のホーム局である交換機２０の番号計画を無線端末管理装置３０より入手する。
【００５７】
次に、入手した番号計画と第１の特番情報から、着信がある内線番号の端末は、交換機２０をホーム局としていることを認識し、「内線番号」から「特番情報」を削除した「内線番号」で無線端末５１を呼び出し、接続制御を行う。
【００５８】
その後、無線端末５１が着信応答した場合には、交換機２０と交換機２１間の通話路が確立し、無線端末５１と無線端末５０が通話を行えるようになる。
【００５９】
このような動作を行うことで、発信側である無線端末５０は、着信側である無線端末５１がどの交換機の無線エリアに位置していようとも、無線端末５１の内線番号のみのダイヤル操作で、通話が可能となるという効果が得られる。
【００６０】
次に、無線端末が発信を行う場合の、発信番号の変換動作の例を、図１０に基づいて説明する。本実施例において、ホーム局に位置登録をした無線端末の発信番号は、内線、外線、専用線、その他と４種類に大別される。内線とは同交換機内で発着信を行うものであり、無線端末毎に割り当てられる内線番号を用いて行う。外線は本システム外部への発着信を行うものであり、通常外線特番と呼ばれる交換機に外部への発信を通知するための番号に外線の発信先でもある電話番号を付加して、発信が行われる。
【００６１】
専用線とは、無線端末管理装置３０が管理する各交換機２０〜２３に位置登録されている無線端末において、異なる交換機間で発信を行うものであり、その際には専用線特番と呼ばれる、所謂どの交換機に対して発信を行うかを通知する番号に、対象となる無線端末の内線番号を付加して、発信が行われる。上記の何れにも該当しない特殊なケースで用いられるもの（図１０中の「その他」に当たる）は、特番と呼ばれる番号に、用途に応じた番号を付加して発信を行うものである。
【００６２】
無線端末がビジタ局に位置登録を行い、発信を行う場合、従来であればそのビジタ局の番号計画に則って発信動作を行わなくてはならない。しかし、本実施例の交換機２０〜２３及び無線端末管理装置３０による発信番号の自動変換動作によれば、ビジタ局に位置登録をした無線端末であっても、ホーム局と変わらぬ発信操作により発信を行うことができる。
【００６３】
図１０によれば、ビジタ局である交換機２１に位置登録を行った無線端末５１からの発信が行われた場合、交換機２１は、自局の番号計画と、無線端末データ一時格納部に記憶した無線端末５１のホーム局である交換機２０の番号計画とを比較して番号の変換を行うことにより、例えば無線端末５１から、同じく交換機２０をホーム局とする無線端末５０へ内線番号の発信があった場合、無線端末５０の内線番号はホーム局である交換機２０に対する内線番号であるため、ビジタ局である交換機２１は自動的に無線端末５１のホーム局である交換機２０を示す専用線特番を内線番号に付加して発信を行う。これにより、無線端末５１は、ホーム局、ビジタ局を問わず、無線端末５０に対して同じ内線番号を用いて発信することが可能となる。
【００６４】
外線に向けた発信操作の場合は、無線端末５１は、ホーム局における外線特番と電話番号を交換機２１に向けて発信する。それを受けたビジタ局である交換機２１は、前述のように、交換機２０の番号計画と、無線端末５１のホーム局である交換機１の番号計画とにより変換を行い、無線端末５１により付加される外線特番を、交換機２０の外線特番に変換して発信する。
【００６５】
ビジタ局である交換機２１に位置登録をした無線端末５１が、発信する場合、発信する対象となる端末が、交換機２１に属する端末である場合は、無線端末５１から発信される番号は、交換機２１を示す専用線特番に内線番号が付加されたものであり、これを交換機２１は専用線特番を付加しない内線番号に変換し呼び出す。また、ホーム局である交換機２０に属する端末への発信は、無線端末５１から発信される番号は、該当する内線番号のみの為、交換機２１は該内線番号の前に専用線特番を付加した番号で呼び出す。
【００６６】
上記内線、外線、専用線の何れにも該当しない特番（図１０に示す「その他」）の場合も、ビジタ局である交換機２１に位置登録した無線端末５１が、交換機２１に属する端末に発信する場合、無線端末５１から発信される番号は、特番に用途毎に決められる番号を付加した番号で呼び出す。また、ホーム局である交換機２０に属する端末への発信は、交換機２１は、前記特番にホーム局である交換機２０を示す専用線特番を付加して呼び出す。
【００６７】
以上のような構成により、無線端末５１はローミング機能の登録を事前に行うことなく、専用線で接続され、通信可能な複数の交換機内であれば制限無く使用できると共に、日常頻繁に使用するホーム局の番号計画に則った使用方法が可能であるため、他のビジタ局で使用する際に、番号計画を都度参照しながら使用することがなくなる。
【００６８】
また、交換機毎の専用線特番等の番号計画を無線端末管理装置３０にて一括で管理することにより、新たに交換機を増設する場合、全ての既設の交換機に新規交換機のアドレス等の更新を行う必要がなく、無線端末管理装置３０に登録するのみで良いため、交換機の増設・撤去等に柔軟に対応することができる。
【００６９】
以上、本発明の実施例について詳述したが、本発明の前記実施例に限定されるものではなく、本発明の要旨の範囲内で種々の変形実施は可能である。例えば、無線端末管理装置３０を各交換機と別の装置として説明したが、これに限定せず、図３のように、同様の各データを、ある１つの交換機（図中によれば交換機２１）に備えるように構成したとしても何ら問題ない。
【図面の簡単な説明】
【００７０】
【図１】本発明の実施例における、交換システムの概略を示すブロック図である。
【図２】同上、交換機及び無線端末管理装置の詳細を示すブロック図である。
【図３】同上、図２とは異なる構成である交換機の詳細を示すブロック図である。
【図４】同上、無線端末が無線基地局を介して交換機に対して位置登録を行う際の動作を示すフローチャート図である。
【図５】同上、交換機より無線端末のデータを要求された際の、無線端末管理装置の動作を示すフローチャート図である。
【図６】同上、交換機より無線端末の位置登録情報を受信した際の無線端末管理装置の動作を示すフローチャート図である。
【図７】無線端末からの発信操作を検出した際の、交換機の動作を示すフローチャート図である。
【図８】無線端末に着信があった際に、着信している無線端末がホーム局としている交換機の動作を示す説明図である。
【図９】ビジタ局である交換機に位置登録をした無線端末への着信処理要求を受信した際の無線端末管理装置の動作を示す説明図である。
【図１０】ホーム局における無線端末の番号計画と、ビジタ局における無線端末の番号計画及び、番号変換の一例を示す説明図である。
【符号の説明】
【００７１】
１０〜１３  無線エリア
２０〜２３  交換機
２０１、２１１  制御装置
２０２、２１２  メモリ
２０３、２１３  内線データ格納部
２０４、２１４  無線端末データ一時格納部
３０    無線端末管理装置
３０１  制御装置
３０２  メモリ
３０３  無線端末登録データ格納部
３０４  番号計画データ格納部
５０〜５７  無線端末
６０  専用線網
７０  データ通信ネットワーク（ネットワーク）
【図１】
2008061087.tif 000003
【図２】
2008061087.tif 000004
【図３】
2008061087.tif 000005
【図４】
2008061087.tif 000006
【図５】
2008061087.tif 000007
【図６】
2008061087.tif 000008
【図７】
2008061087.tif 000009
【図８】
2008061087.tif 000010
【図９】
2008061087.tif 000011
【図１０】
2008061087.tif 000012